(57)【要約】【課題】撮影する際、セルフタイマーによる撮影である可能性が高い場合に、セルフタイマー機能を起動制御することが可能な撮像装置を提供すること。【解決手段】セルフタイマー機能を有する撮像装置であって、前記撮像装置が動いたことを検知する動き検知手段と、前記動き検知手段により動きがなかった時間を計測する静止時間計測手段と、前記撮像装置により撮影する際に、前記静止時間計測手段により前記撮像装置が所定の時間動かなかったと計測された場合に、前記セルフタイマー機能を起動するセルフタイマー制御手段と、を有することを特徴とする。【選択図】図１
2014199280.tif 000002
【特許請求の範囲】
【請求項１】
セルフタイマー機能を有する撮像装置であって、
前記撮像装置が動いたことを検知する動き検知手段と、
前記動き検知手段により動きがなかった時間を計測する静止時間計測手段と、
前記撮像装置により撮影する際に、前記静止時間計測手段により前記撮像装置が所定の時間動かなかったと計測された場合に、前記セルフタイマー機能を起動するセルフタイマー制御手段と、
を有することを特徴とする撮像装置。
【請求項２】
所定の撮影対象を認識する撮影対象認識手段を更に有し、
前記セルフタイマー制御手段は、前記撮像装置が所定の時間動かなかったと計測された場合かつ、前記撮影対象認識手段により所定の撮影対象が認識されている場合に、前記セルフタイマー機能を起動するセルフタイマー制御手段と、
を有することを特徴とする請求項１記載の撮像装置。
【請求項３】
前記セルフタイマー制御手段は、セルフタイマーを起動するか否かの選択を受け付ける画面を表示制御するものであり、
前記表示制御される選択画面から、セルフタイマーを起動する旨の指示を受け付けた場合にセルフタイマーを起動することを特徴とすることを特徴とする請求項１または２記載の撮像装置。
【請求項４】
当該撮像装置の動きを検知可能な加速度センサーを更に有し、
前記動き検知手段は、前記加速度センサーを利用して動きを検知することを特徴とする請求項１乃至３のいずれか１項に記載の撮像装置。
【請求項５】
三脚が接続されたことを検知する三脚検知手段を更に有し、
前記動き検知手段は、前記三脚検知手段により三脚が接続されたことを検知することを特徴とする請求項１乃至３のいずれか１項に記載の撮像装置。
【請求項６】
セルフタイマー機能を有する撮像装置の制御方法であって、
前記撮像装置が動いたことを検知する動き検知ステップと、
前記動き検知ステップにより動きがなかった時間を計測する静止時間計測ステップと、
前記撮像装置により撮影する際に、前記静止時間計測ステップにより前記撮像装置が所定の時間動かなかったと計測された場合に、前記セルフタイマー機能を起動するセルフタイマー制御ステップと、
を有することを特徴とする撮像装置の制御方法。
【請求項７】
セルフタイマー機能を有する撮像装置に適応可能なプログラムであって、
前記撮像装置を、
前記撮像装置が動いたことを検知する動き検知手段と、
前記動き検知手段により動きがなかった時間を計測する静止時間計測手段と、
前記撮像装置により撮影する際に、前記静止時間計測手段により前記撮像装置が所定の時間動かなかったと計測された場合に、前記セルフタイマー機能を起動するセルフタイマー制御手段と、
を有することを特徴とする撮像装置として機能させるためのプログラム。
【発明の詳細な説明】
【技術分野】
【０００１】
本発明は、カメラなどのセルフタイマーによる撮影をする撮像装置に関し、特にセルフタイマーモードの制御に関する。
【背景技術】
【０００２】
従来、デジタルカメラなどの撮像装置には、一定時間が経過すると自動的にシャッターを切るセルフタイマー機能が搭載されており、多くのユーザに利用されている。
【０００３】
セルフタイマーに関連した技術として、特許文献１では、セルフタイマーによるカウントダウン中に被写体が所定の変化をした場合に、カウントダウン動作を停止させることが公開されている。
【先行技術文献】
【特許文献】
【０００４】
【特許文献１】特願２０１２−１９８５６４号公報
【発明の概要】
【発明が解決しようとする課題】
【０００５】
特許文献１では、セルフタイマーによるカウントダウン中に、撮影するはずであった人物の顔が大きく動いたことを条件にカウントダウンを停止することができる。例えば集合写真の撮影に際しては、当初決めた構図、すなわち人物の配置（顔の位置）等が変わってしまった状態での無駄な撮影をなくすことができる。また、任意の人物の顔が大きく動いたことをカウントダウン動作の停止条件とすることもできる。
【０００６】
しかしながら、特許文献１の技術を利用する場合であっても、セルフタイマー撮影は、撮影者が撮影のたびにセルフタイマーを起動する必要があった。また、制御可能なのは、一旦カウントダウンされたセルフタイマーを停止状態にすることであって、セルフタイマー機能を自動的に起動させることはできない。
【０００７】
例えばセルフタイマー撮影をしたいのにもかかわらず、セルフタイマーの起動を忘れてしまい撮影してしまった場合には、無駄な撮影が行われることになり、メモリ容量やバッテリー残量、構図を決めるための時間などを無駄に消費してしまうことがある。
【０００８】
セルフタイマー撮影を行う場合は、三脚に固定されたり、テーブルや塀などの台状のものの上に置いたりして利用することが多い。すなわち、三脚に固定されたり、台状のものの上に置かれたりして一定時間動かない状態となった場合は、セルフタイマーにより撮影される可能性が高いといえる。
【０００９】
そこで、本願発明では、撮影する際、セルフタイマーによる撮影である可能性が高い場合に、セルフタイマー機能を起動制御することが可能な撮像装置を提供することを課題とする。
【課題を解決するための手段】
【００１０】
セルフタイマー機能を有する撮像装置であって、前記撮像装置が動いたことを検知する動き検知手段と、前記動き検知手段により動きがなかった時間を計測する静止時間計測手段と、前記撮像装置により撮影する際に、前記静止時間計測手段により前記撮像装置が所定の時間動かなかったと計測された場合に、前記セルフタイマー機能を起動するセルフタイマー制御手段と、を有する。
【発明の効果】
【００１１】
本願発明では、撮影する際、セルフタイマーによる撮影である可能性が高い場合に、セルフタイマー機能を起動制御することが可能な撮像装置を提供することが可能となる。
【図面の簡単な説明】
【００１２】
【図１】本発明の撮像装置の背面図および画面の一例を示す図である。
【図２】本発明の撮像装置のハードウェア構成図の一例を示す図である。
【図３】本発明の撮像装置の機能構成図の一例を示す図である。
【図４】本発明の撮像装置のセルフタイマー設定画面の一例を示す図である。
【図５】本発明の撮像装置のセルフタイマー設定内容の一例を示す図である。
【図６】本発明の撮像装置の全体処理の一例を示すフローチャートである。
【図７】本発明の撮像装置の自動セルフタイマーモード処理の一例を示すフローチャートである。
【図８】本発明の撮像装置の撮影イメージの一例を示す図である。
【図９】本発明の撮像装置の被写体の検知画面イメージの一例を示す図である。
【図１０】本発明の撮像装置のセルフタイマー起動画面イメージの一例を示す図である。
【図１１】本発明の撮像装置のセルフタイマー起動処理の一例を示すフローチャートである。
【発明を実施するための形態】
【００１３】
以下、図面を参照して、本発明の実施形態を詳細に説明する。
【００１４】
図１は、本発明の撮像装置の背面図および画面の一例を示す図である。
撮像装置１００の上面には、シャッターボタン１１が配置されている。シャッターボタンを押下することにより内蔵のスイッチがオンになることにより撮像動作が開始される。
【００１５】
表示画面１２には、不図示の正面に配置されたレンズで捕らえた画像が表示される。また、各種設定画面の表示も行われる。
【００１６】
各種設定画面の操作には、メニューボタン１３および設定キー１４が利用される。例えばメニューボタン１３を押下すると、表示画面に１２に所定のメニューが表示され、設定キー１４で操作することで設定することができる。セルフタイマーの設定なども表示画面で行われる。
【００１７】
セルフタイマー起動画面１５について説明する。セルフタイマー起動画面１５は、撮像装置１００が、あらかじめ設定された所定の条件を満たしたときに開始される。
【００１８】
メッセージ領域には、「セフルタイマー撮影しますか？」とメッセージが表示され、はい１６を押下することでセルフタイマーが起動され、いいえ１７が押下されるとセルフタイマーは起動されず、通常の撮影モードとなる。
【００１９】
タイマー（秒）１８の下方には、時間を表示するタイムバー１９が表示される。ここで表示される時間は、あらかじめセルフタイマーにて設定されている時間であり、シャッターが押されてからこの時間が経過すると撮影されるようになっている。
【００２０】
現在の設定では「１０」秒に設定されているので、シャッターが押下されてから１０秒後に撮影される。またタイムバーをスライドして「１」にセットすることで、「１」秒のセルフタイマーが起動される。
【００２１】
所定の条件とは、一定時間撮像装置が静止状態でシャッターが押された場合や、三脚などに固定された場合などで、セルフタイマーにより撮影する確率の高い場合にユーザによる操作ではなく自動セルフモードとして起動するものである。詳細については後述する。
【００２２】
図２は、は、本発明の撮像装置のハードウェア構成図の一例を示す図である。
撮像装置１００は、いわゆるデジタルカメラから成り、撮影用のレンズ１０１、撮像素子（以下、「ＣＣＤ」と称する）１０２、カメラ信号処理部（以下、「ＡＤＣ」と称する）１０３、画像処理部１０４、システムコントローラ１１０、バッファメモリ１１１、フラッシュＲＯＭ１１２、インターフェース回路（以下、「Ｉ／Ｆ回路」と称する）１１３、カードホルダ１１４、メモリカード１１５、ディスプレイドライバ１１６、および操作部１２０を備える。
【００２３】
レンズ１０１は、レンズ等であり、対物レンズ、ズームレンズ、およびフォーカスレンズなどで構成される。ズームレンズおよびフォーカスレンズについては、不図示の駆動機構により光軸方向へ駆動される。撮像素子１０２は、レンズ１０１から入射した撮像光を結像し、電気信号（アナログ信号）に変換して出力するＣＣＤイメージセンサで構成される。
【００２４】
カメラ信号処理部（ＡＤＣ）１０３は、撮像素子１０２から受けた電気信号にデジタル変換やホワイトバランス調整などの信号処理を行なって、デジタル信号に変換する機能を有する。システムコントローラ１１０は、画像処理部１０４、バッファメモリ１１１、フラッシュＲＯＭ１１２、Ｉ／Ｆ回路１１３、ディスプレイドライバ１１６、サウンドドライバ１１８、ＬＥＤドライバ１２８、および操作部１２０に接続されている。
【００２５】
画像処理部１０４は、前処理部１０５、ＹＣ処理部１０６、電子ズーム処理部１０７、圧縮部１０８、および伸長部１０９を備え、カメラ信号処理部１０３から出力されるデジタル信号から画像データを生成し、各種画像処理を行う機能を有する。
【００２６】
前処理部１０５は、入力される画像データに基づく画像のホワイトバランスを調整するホワイトバランス処理や画像のガンマ補正処理を行う機能を有する。ホワイトバランス処理は、画像の色合いを、実物の色合いに近くなるように調整したり、光源（蛍光灯や太陽光など）に合った適正な色に調整したりする処理である。ガンマ補正処理は、画像のコントラストを調整する処理である。なお、前処理部１０５は、ホワイトバランス処理およびガンマ補正処理以外の画像処理を実行することも可能である。
【００２７】
ＹＣ処理部１０６は、入力される画像データに基づく画像を、輝度情報「Ｙ」と、輝度信号と青色の色差情報「Ｃｂ」と、輝度信号と赤色の色差情報「Ｃｒ」とに分離する機能を有する。電子ズーム処理部１０７は、画像の一部（例えば中央部）を所定の大きさでトリミングし、トリミングした画像を信号処理で元画像の大きさに拡大する機能を有する。
【００２８】
電子ズーム処理部１０７は、例えば、撮影された１６００×１２００ドットの画像から中央の１０２４×７６８ドットの画像を切り出し、データ補間を行いながら１６００×１２００ドットのサイズに拡大することができる。
【００２９】
圧縮部１０８は、画像データをＪＰＥＧ（Ｊｏｉｎｔ  Ｐｈｏｔｏｇｒａｐｈｉｃ  Ｅｘｐｅｒｔ  Ｇｒｏｕｐ）方式などの圧縮形式によって圧縮する機能を有する。伸長部１０９は、圧縮されている画像データを伸長する機能を有する。例えば、画像データをＪＰＥＧ方式で圧縮する場合、まず、画像データの高周波成分と低周波成分の割合を数値化する離散コサイン変換処理が行われる（ＤＣＴ処理）。次に、画像の階調やグラデーションを表現する段階を数値（量子化ビット数）で表現する量子化処理が行われる。最後に、ハフマン符号化処理で画像データが圧縮される。
【００３０】
具体的には、画像データの信号文字列が一定のビット毎に区切られ、出現頻度が高い文字列に対してより短い符号が与えてられてゆく。なお、圧縮処理を行わないで画像データを記録する方式の場合は、圧縮部１０８および伸長部１０９を省略することができる。また、画像データの圧縮形式は、ＪＰＥＧ方式に限らず、ＧＩＦ（Ｇｒａｐｈｉｃａｌ  Ｉｎｔｅｒｃｈａｎｇｅ  Ｆｏｒｍａｔ）形式などであっても、同様に処理を行うことができる。
【００３１】
バッファメモリ１１１には、画像処理部１０４で画像処理が行われる際に、一時的に画像データが保存される。フラッシュＲＯＭ１１２には、撮像装置１００の各種設定情報や、後述するユーザ情報等が保存される。
【００３２】
Ｉ／Ｆ回路１１３は、システムコントローラ１１０から出力される画像データを、メモリカード１１５に記録可能なデータ形式に変換する。また、Ｉ／Ｆ回路１１３は、メモリカード１１５から読み出された画像データ等を、システムコントローラ１１０で処理可能なデータ形式に変換する。
【００３３】
カードホルダ１１４は、記録媒体であるメモリカード１１５を撮像装置１００に着脱可能にする機構を備えると共に、メモリカード１１５との間でデータ通信が可能な電気接点を備える。また、カードホルダ１１４は、撮像装置１００で利用される記録媒体の種類に応じた構造を有する。
【００３４】
メモリカード１１５は、フラッシュメモリなどの半導体記憶素子を内蔵し、カードホルダ１１４に着脱可能なカード型の記録媒体である。メモリカード１１５には、撮像装置１００で撮影された画像データを記録することができる。
【００３５】
ディスプレイドライバ１１６は、システムコントローラ１１０から出力される画像データをディスプレイ１１７で表示可能な信号に変換する。具体的には、ディスプレイドライバ１１６は、システムコントローラ１１０から出力されるデジタルの画像データをアナログ画像信号に変換する処理を行い、次に画像サイズをディスプレイ１１７の表示可能エリアのサイズに適したサイズに変換する処理を行う。
【００３６】
サウンドドライバ１１８は、システムコントローラ１１０から出力される音声データをスピーカ２１９で鳴動可能な信号に変換する処理を行う。ＬＥＤ（Ｌｉｇｈｔ  Ｅｍｉｔｔｉｎｇ  Ｄｉｏｄｅ）ドライバ１２８は、システムコントローラ１１０から出力される命令に従いランプ１２９の制御を行う。
【００３７】
操作部１２０は、電源スイッチ１２１、モードダイヤル１２２、撮影ボタン１２３、カーソルキー１２４、ズームボタン１２５、および閲覧（再生）ボタン１２６を備え、ユーザからの操作入力を受け付けて、操作内容に応じた信号をシステムコントローラ１１０に出力する。なお、操作部１２０には、図示の操作ボタン以外の操作ボタン類も含まれるが、それらの説明は省略する。
【００３８】
モードダイヤル（選択ボタン）１２２は、撮影動作のモードを切り替えるための回転可能なダイヤルである。ユーザはモードダイヤル１２２を操作することで、複数の撮影動作モードを選択することが可能である。なお、本発明の実施形態で、モードダイヤルは、ダイヤル式機構として記載をするが、例えば、ダイヤルではなくスライド式のボタンであってもよい。つまり、モードダイヤル１２２について、その機構はダイヤルに限定されず、カメラのモードを切り替えられるための機構を備えていることが本質である。
【００３９】
閲覧ボタン１２６は、撮影した画像データを閲覧する閲覧モード（再生モード）に切り替えるためのボタンである。閲覧ボタン１２６が押下されると、撮影モードから閲覧モードに移行する。なお、閲覧モードへの切替方法については、前述のように、閲覧ボタン１２６の押下に限定されず、ディスプレイ１１７上のタッチパネル（不図示）などによる移行方法であってもよい。
【００４０】
閲覧モードでは、システムコントローラ１１０が、Ｉ／Ｆ回路１１３を介して、カードホルダ１１４に装着されているメモリカード１１５から設定情報と画像データを読み出す。設定情報は、現在装着されているメモリカード１１５に記録されている画像の枚数および記録されている画像データの容量などである。読み出される画像データは、例えば、画像１枚分の画像データまたはサムネイルデータである。なお、メモリカード１１５から読み出される画像データは、上述したように所定の圧縮形式で圧縮されている。
【００４１】
メモリカード１１５から読み出された画像データは、Ｉ／Ｆ回路１１３およびシステムコントローラ１１０を介して、ディスプレイドライバ１１６へ入力される。ディスプレイ開示ドライバ１１６は、入力された画像データをディスプレイ１１７に表示させる。
【００４２】
カーソルキー１２４は、ユーザが撮像装置１００に対する所定の指示や機能選択を行うためのキーである。ユーザは、カーソルキー１２４により、撮像装置１００に対する各種設定情報やユーザ認証情報などの操作入力を行うことができる。
【００４３】
また、カーソルキー１２４により、ディスプレイ１１７にメニュー画面や撮像装置１００に対して各種設定情報を設定するための画面を表示したり、撮像装置１００が有する所定の機能を選択することができる。
【００４４】
さらに、カーソルキー１２４により、撮像装置１００で撮影された画像データをディスプレイ１１７上にプレビュー表示させることができる。プレビュー表示とは、撮像装置１００で撮影した画像を、その直後にディスプレイ１１７に表示させる機能である。
【００４５】
なお、プレビュー表示については、ディスプレイ１１７上に撮影した画像を１枚のみ表示する構成に限定されず、サムネイル画像を含む複数の画像を表示するように構成してもよい。また、プレビュー表示の切り替えについては、カーソルキー１２４の押下に限らず、他のボタンの押下などの一般的な方法を利用して切り替えられる構成にしてもよい。また、プレビュー表示画面で、プレビュー表示画像の削除や編集などが行えるように構成してもよい。
【００４６】
レンズ制御部１２７は、レンズ１０１のレンズに対して、ズーム、フォーカス、絞り等の制御を行う。また、撮像装置１００は、被写体を撮像して画像データを得る撮影モードと当該撮影モードで得た画像データを表示する閲覧（再生）モードとを備える。
【００４７】
なお、音声についてはマイクやスピーカを用いることで、撮像装置１００と同様に記録、及び再生が可能である。また、映像（動画）記録時には、通常音声記録も同時に行われ、圧縮部１０８および伸長部１０９で、映像と音声が多重化される。
【００４８】
また、撮像装置１００における撮影動作について説明する。まず、ユーザが電源スイッチ１２１を操作し、撮像装置１００の電源をＯＮにする。すると、撮像装置１００に内蔵されているバッテリー（不図示）から各回路へ電源供給されて、撮像装置１００の起動処理（レンズバリアを開く動作制御およびマイクロコンピューターのリセット処理など）が行われる。
【００４９】
撮像装置１００は、電源ＯＦＦ時に電源スイッチ１２１が押下されると電源ＯＮとなり、自動的に撮影モードとなるように構成されている。また、電源ＯＦＦ時に閲覧ボタンが押下されると電源ＯＮとなり、自動的に閲覧モードとなるように構成されている。
【００５０】
撮像装置１００が撮影モードに移行すると、光学画像がレンズ１０１を介して撮像装置１００内へ入射し、撮像素子（ＣＣＤ）１０２に結像される。ＣＣＤ１０２は、入射される光学画像を電気信号に変換して、カメラ信号処理部（ＡＤＣ）１０３へ出力する。ＡＤＣ１０３は、入力される電気信号（アナログ信号）をデジタル信号に変換する。ＡＤＣ１０３から出力されるデジタル信号は画像処理部１０４に入力される。
【００５１】
画像処理部１０４内の前処理部１０５では、入力されるデジタル信号に基づき画像データを生成し、ホワイトバランス処理およびガンマ補正処理などが行われる。画像処理部１０４内のＹＣ処理部１０６では、画像データが輝度信号Ｙと色差信号ＣｒおよびＣｂとに分離され、色差信号ＣｒおよびＣｂの情報量を減らす処理が行われる。
【００５２】
色差信号ＣｒおよびＣｂの情報量の削減処理は、例えば、画像の主走査方向の色情報を間引く「４：２：２ダウンサンプリング処理」や、画像の縦横方向の色情報を間引く「４：１：１ダウンサンプリング処理」などがある。なお、前処理部１０５およびＹＣ処理部１０６で画像処理を行う際は、画像データを一時的にバッファメモリ１１１に保存し、随時バッファメモリ１１１に保存されている画像データを読み出しながら画像処理が行われる。
【００５３】
画像処理部１０４から出力される画像データ（非圧縮）はシステムコントローラ１１０に入力される。システムコントローラ１１０は、画像処理部１０４から出力される画像データを、ディスプレイドライバ１１６へ出力する。
【００５４】
ディスプレイドライバ１１６は、入力される画像データ（デジタル信号）をアナログ画像信号に変換すると共に、アナログ画像信号に基づく画像のサイズをディスプレイ１１７で表示可能なサイズに調整する。
【００５５】
また、ディスプレイドライバ１１６は、ディスプレイ１１７に画像を表示させるよう制御する。このとき、ディスプレイ１１７に表示される画像は、ＣＣＤ１０２、ＡＤＣ１０３、および画像処理部１０４で、連続的に信号処理されて生成される画像（スルー画像）である。
【００５６】
ディスプレイ１１７にスルー画像が表示されている状態で、ユーザが希望のタイミングで撮影ボタン１２３を操作すると、システムコントローラ１１０は画像処理部１０４に制御信号を出力する。画像処理部１０４に制御信号が入力されると、圧縮部１０８は、前処理部１０５およびＹＣ処理部１０６で画像処理された画像データをバッファメモリ１１１へ保存し、圧縮処理を行う。
【００５７】
具体的には、画像データの高周波成分と低周波成分の割合を数値化する離散コサイン変換処理（ＤＣＴ処理）や、画像の階調やグラデーションを表現する段階を量子化ビット数で表現する量子化処理や、画像データの信号文字列を一定のビット毎に区切り、出現頻度が高い文字列に対して、より短い符号を与えてゆくハフマン符号化処理などが実行される。圧縮された画像データは、システムコントローラ１１０およびディスプレイドライバ１１６を介してディスプレイ１１７に表示される。また、圧縮された画像データは、カードホルダ１１４を介してメモリカード１１５に記録される。
【００５８】
撮影ボタン１２３が操作される前にズームボタン１２５が操作されると、システムコントローラ１１０は光学ズーム処理や電子ズーム処理を実行し、画像の大きさを拡大または縮小させることができる。そして、ズームボタン１２５の操作後、撮影ボタン１２３が操作されると、拡大または縮小された画像の画像データがメモリカード１１５へ記録される。
【００５９】
図３は、本発明の撮像装置の機能構成図の一例を示す図である。
全体制御部３０１が各処理部と連動して処理を行うことで発明を実現している。全体制御部３０１は、メニューボタン１３、設定キー１４、タッチパネルなどの入力を操作部３０２によって受け付け、処理した内容を液晶パネルなどの表示部３０３へ出力する。
【００６０】
セルフタイマー制御部は、所定の条件を満たす場合にセルフタイマーを起動する制御を行う。また自動セルフタイマーモードであっても所定の条件を満たさない場合は、セルフタイマーを起動せず通常モードへの切り替えなどを行うことも可能である。
【００６１】
動き検知部３０５は、撮像装置１００本体が動いたことを検知可能である。加速度センサーや手ぶれ防止機能の手ぶれ検知機構などを利用することができる。また、三脚検知手段により三脚が装着されたことをもって静止状態と判定することもできる。
【００６２】
静止時間計測部３０６は、動き検知部による検知が無い状態（＝静止状態）の時間を判定する。撮像装置が所定時間を越えて静止状態であった場合に、全体制御部３０１は、セルフタイマー制御部３０４にセルフタイマーを起動させる処理を行う。
【００６３】
被写体判定部３０７は、撮像装置のレンズに所定の被写体が写っているかどうかの判定を行う。例えば所定の人物など所定の被写体が撮影可能な状態として検出されているかどうかの判定を行う。
【００６４】
図４は、本発明の撮像装置のセルフタイマー設定画面の一例を示す図である。
セルフタイマー設定画面４０１は、撮像装置１００の所定の操作により起動される画面である。設定メニューはアイコン表示されており、本図では、セルフタイマー４０２の設定画面を表示している。
【００６５】
その他４０３や４０４のメニューアイコンが表示されている。このメニューアイコンには、例えば時刻設定や操作音のＯＮ／ＯＦＦ、および色見の設定などが割り当てられる。
【００６６】
セルフタイマー設定項目４０５には、セルフタイマーのモードの設定やセルフタイマーの動作についての設定が行われる。
【００６７】
セルフタイマーのモードは、「自動セルフタイマー」と「セルフタイマー（通常モード）」を選択することができる。本実施例では、ラジオボタンで切替えるようになっている。自動セルフタイマーモードとは、撮像装置の静止状態や、被写体の検知状態に応じて自動でセルフタイマーが起動されるモードである。
【００６８】
一方、セルフタイマー（通常モード）とは、従来から通常に行われているセルフタイマー機能のことを指す。
【００６９】
自動セルフタイマーモードには、「ＯＮ」「ＯＦＦ」の設定があり、「ＯＮ」の場合、セルフタイマーの起動条件として「静止検知＋被写体検知」および「静止検知」を選択することが可能である。その他、設定可能な条件としては三脚が取り付けられたことをセンサーなどで検知し、三脚が取り付けられたことを条件に、セルフタイマーが起動するようにすることもできる。
【００７０】
「静止検知」とは、撮像装置１００が所定時間静止状態であった場合に、セルフタイマーを起動するというものである。「被写体」とは、例えば被写体として人物が撮影可能な範囲に含まれる状態で、セルフタイマーを起動するというものである。「静止＋被写体」とは両方の条件を満たした状態でシャッターが押されたらセルフタイマーを起動するものである。
【００７１】
「起動までの時間」では、セルフタイマーの静止時間が設定される。例えば撮像装置が「５秒」動かなかった状態でシャッターが切られるとセルフタイマーが起動することになる。
【００７２】
「撮影までの時間」は、セルフタイマーが起動してから撮影されるまでの時間のことで、自動セルフタイマーモード、通常モードで共通設定となっている。
【００７３】
各種設定に関する操作は、メニューボタン１３および設定キー１４を利用して行われる。設定された内容は、撮像装置１００のフラッシュＲＯＭ１１２などの記憶領域に保存される。保存内容のイメージを、図５を利用して説明する。
【００７４】
図５は、本発明の撮像装置のセルフタイマー設定内容の一例を示す図である。
セルフタイマー設定画面４０１で設定された内容がフラッシュＲＯＭ１１２に記憶されたものである。各項目で設定された内容が記憶される。
【００７５】
「自動セルフタイマー  ＯＮ／ＯＦＦ」５０１、「セルフタイマー起動条件」５０２、「セルフタイマー起動時間」５０３、「静止時間」５０４、および「被写体検知」５０５が記憶されている。
【００７６】
「自動セルフタイマー  ＯＮ／ＯＦＦ」５０１がＯＦＦになっている場合は、５０２から５０５の各項目は記入されない（無効）になっている。「人物の有無」５０５は、「セルフタイマー起動条件」５０２に「被写体」と設定されている場合に「有」となり、設定されていない場合には「無」となる。
【００７７】
図６は、本発明の撮像装置の全体処理の一例を示すフローチャートである。
撮像装置の電源がオンになった場合などに処理が開始される。
ステップＳ６０１で、撮像装置１００に設定されたセルフタイマー設定内容から、セルフタイマーのモードを取得する。
【００７８】
ステップＳ６０２で、自動セルフタイマーモードでない（ＯＦＦ）設定がされていたら、ステップＳ６０４に進み、セルフタイマーは通常モードとして処理を終了する。（撮像装置を起動する。）
【００７９】
一方、ステップＳ６０２で自動セフルタイマーモード（ＯＮ）設定がされていたら、ステップＳ６０３に進み、セルフタイマーモードを自動セルフタイマーモードとして処理を終了する。（撮像装置を起動する。）
【００８０】
図７は、本発明の撮像装置の自動セルフタイマーモード処理の一例を示すフローチャートである。
自動セルフタイマーモードとして撮像装置が起動したら、ステップＳ７０１でセルフタイマー設定内容より、セルフタイマー起動時間を取得すると同時に撮像装置が静止してからの時間をカウントする。
【００８１】
ステップＳ７０２でシャッターが押されたかどうかを判定し、シャッターが押された場合は、ステップＳ７０３に進む。シャッターが押されるまで、本処理はループされる。
【００８２】
ステップＳ７０３では、所定時間撮像装置が静止していたか（所定の時間動かなかったか）どうかを判定する。具体的には、撮像装置の加速度センサーにより動きを検知してもよいし、手ぶれ防止機能の有する手ぶれセンサーを利用してもよい。この場合、手ぶれが検知されない状態を撮像装置が静止した状態とすることができる。その他、三脚が装着されたことを持って静止状態とするようにしてもよい。
静止状態を判定する方法について、図８を用いて説明する。
【００８３】
図８は、本発明の撮像装置の撮影イメージの一例を示す図である。
８０１は、三脚であって、撮像装置１００との接続部８０２を有する。撮像装置１００には、三脚穴８０３が備えられている。三脚穴８０３には、三脚８０１の接続部８０２が装着されたか否かのセンサーを有しており、装着された場合に、静止状態になったと判定してもよい。この場合、セルフタイマー起動時間を０秒とすれば、装着されたことが検知されたことをもってセルフタイマーを起動させることができる。
【００８４】
また、三脚を用いずにテーブル８０５に撮像装置１００を置いて撮影することも考えられる。テーブル８０５はこれに限ったものではなく、撮像装置を静止できるよう動かない状態で置くことができるものであれば何でもよい。
【００８５】
このように置かれて一定時間静止することで、ユーザはセフルタイマーを利用する可能性が高いと思われるので、自動で起動される。図７の説明に戻る。
【００８６】
ステップＳ７０３で、所定時間静止したままシャッターが押されたと判定された場合、ステップＳ７０４に進む。一方、所定時間静止せずにシャッターが押された場合には、ステップＳ７０６に進み、通常の処理（セルフタイマーを起動しない）とし処理を終了する。
【００８７】
ステップＳ７０４では、他の条件を満たすか否かの判定をする。他の条件とは、セルフタイマー設定のセルフタイマー起動条件で設定された「被写体」や三脚の装着などを指す。
【００８８】
被写体の場合、例えば設定した人物の顔を撮影対象として認識（検知）している場合に条件を満たすと判定する。また、三脚の装着の場合、撮像装置の三脚が取り付けられたことを検知するセンサーなどにより三脚が装着されたことが検知された場合に条件を満たすことになる。
被写体を検知している状態について、図９を利用して説明する。
【００８９】
図９は、本発明の撮像装置の被写体の検知画面イメージの一例を示す図である。
撮像装置１００の表示部には、被写体９０１として人物が写っている。また、人物の場合は、顔９０２検知などを合わせて行うことで被写体の検知の精度を上げることができる。ユーザはあらかじめ被写体として、例えば人物であったり、動物であったり、撮影したい対象を設定しておくことにより、静止状態が一定時間経過し、かつ、所定の被写体を検知している場合にセルフタイマーを起動することができる。図７の説明に戻る。
【００９０】
ステップＳ７０４で他の条件を満たす場合は、ステップＳ７０５に進み、セルフタイマー起動処理を行う。一方、他の条件を満たさない場合、ステップＳ７０６に進み、処理を終了する。
【００９１】
なお、ステップＳ７０４での処理は、他の条件が設定される場合に判定を行うものであって、セルフタイマー異動条件で、「静止」だけが設定されている場合にはスキップされる処理である。
【００９２】
図１０は、本発明の撮像装置のセルフタイマー起動画面イメージの一例を示す図である。
図７のステップＳ７０５のセルフタイマー起動処理に対応する。なお、セルフタイマー起動処理は、本図面を表示することなく、セルフタイマーを起動するようにすることもできる。
【００９３】
セルフタイマー起動画面では、メッセージ欄１１０に「セルフタイマー撮影しますか？」とのメッセージ（選択画面）が表示される。ユーザは、指１００３などのタッチ操作で、ボタンを選択する。タッチ操作に関しては、指による操作でもよいし、タッチペンなどの入力デバイスを用いてもよいし、音声認識などにより入力が行われるようにしてもよい。
【００９４】
「はい」１１１が選択されるとセルフタイマーが起動され、「いいえ」１１２が選択されると通常の撮影モード（セルフタイマーが起動されない）となる。この画面で、タイマー（秒）１１３の下に表示されているタイムバー１１４を動かすことで、セルフタイマーによりシャッターが押されてから撮影されるまでの時間を変更することが可能となっている。
【００９５】
これにより、ユーザは、所定の条件を満たした場合であっても、セルフタイマーを起動されるか、起動させないかを簡単な操作で選択することができる。
【００９６】
図１１は、本発明の撮像装置のセルフタイマー起動処理の一例を示すフローチャートである。
図１０に示すセルフタイマー起動画面で、ユーザにより操作を受け付けた場合の処理に対応する。
ステップＳ１１０１で、表示画面（例えば液晶パネル）に「はい」「いいえ」などの選択ボタンが表示される。
【００９７】
ステップＳ１１０２でセルフタイマー撮影が選択された（はい）場合は、ステップＳ１１０３に進み、セルフタイマー設定内容に設定された内容にしたがってセルフタイマーを起動する。
【００９８】
一方、ステップＳ１１０２でセルフタイマー撮影が選択されなかった（いいえ）場合は、ステップＳ１１０４に進み、通常の撮影（セルフタイマーを起動しない）を行い、処理を終了する。
【００９９】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【０１００】
また、本発明におけるプログラムは、フローチャートの処理方法をコンピュータが実行可能なプログラムであり、本発明の記憶媒体はフローチャート処理方法をコンピュータが実行可能なプログラムが記憶されている。なお、本発明におけるプログラムは各装置の処理方法ごとのプログラムであってもよい。
【０１０１】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【０１０２】
この場合、記録媒体から読み出されたプログラム自体が本発明の新規な機能を実現することになり、そのプログラムを記憶した記録媒体は本発明を構成することになる。
【０１０３】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【０１０４】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１０５】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１０６】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。  さらに、本発明を達成するためのプログラムをネットワーク上のサーバ、データベース等から通信プログラムによりダウンロードして読み出すことによって、そのシステムあるいは装置が、本発明の効果を享受することが可能となる。
なお、上述した各実施形態およびその変形例を組み合わせた構成も全て本発明に含まれるものである。
【符号の説明】
【０１０７】
１００  撮像装置
１１    シャッターボタン
１２    表示画面
１３    メニューボタン
１４    設定キー
【図１】
2014199280.tif 000003
【図２】
2014199280.tif 000004
【図３】
2014199280.tif 000005
【図４】
2014199280.tif 000006
【図５】
2014199280.tif 000007
【図６】
2014199280.tif 000008
【図７】
2014199280.tif 000009
【図８】
2014199280.tif 000010
【図９】
2014199280.tif 000011
【図１０】
2014199280.tif 000012
【図１１】
2014199280.tif 000013